(57)【要約】【課題】  誤手術や患者の取り違え等の医療ミス発生を抑止するシステム及び方法の提供。【解決手段】  患者の診察結果情報を患者の顔写真と共に医師端末１０から医院システム２０へ送付し、医院システムでは医師端末からの該情報を患者ＤＢに格納し、医院システムでは患者３０に貼付けられるＩＣタグに患者の情報を書き込み、医院システムは手術日を監視し、該手術日になると医師端末へ患者名、手術情報、手術日である旨を送信し、医師端末は患者のＩＣタグの情報を読み取り、撮影した顔写真を医院システムへ送付し、医院システムは、患者のＩＣタグの情報と顔写真情報を受信すると患者名で患者ＤＢを検索し患者ＤＢに格納されている患者の顔写真、手術情報と、送付された顔写真、手術情報をそれぞれ照合し、医院システムでの２重の照合結果が一致した場合は、手術ＯＫを出力し、不一致の場合、要再チェックを医師端末へ送付し、医院システムは、患者の手術後の医療計画内容にしたがって必要な処置を介添え端末４０へ送信する。【選択図】  図１          
2005278709.tif 000002
【特許請求の範囲】
【請求項１】
ＩＣタグの情報を読取る手段と、撮影手段で撮影した画像を伝送する手段を備え、医師が利用する端末（「医師端末」という）と、
患者の情報を格納した患者データベースを有する医院システムと、
を備え、
前記医師端末により、患者に付加されており少なくとも患者情報及び該患者の手術情報を格納したＩＣタグの内容を読み取り、前記ＩＣタグから読み取った情報が、前記医院システムへ送付され、
前記撮影手段で撮影した前記患者の顔写真情報が前記医師端末より前記医院システムへ送信され、
前記医院システムは、
前記医師端末から送信される、前記患者のＩＣタグからの読取情報と、前記患者の顔写真の画像情報とを受信する手段と、
前記患者データベースを検索し、前記医師端末から送付された顔写真情報と、前記患者データベースに予め格納されている前記患者の顔写真情報とを照合するとともに、前記患者のＩＣタグより読み取られた手術情報と前記患者データベースに格納されている前記患者の手術情報とを照合する手段と、
前記患者の顔写真情報と手術情報との照合の結果がともに一致した場合には、手術可とし、一方、前記照合の結果が一致しなかった場合には、誤りがある旨を前記医師端末へ送付する手段と、
を含む、ことを特徴とする医療管理システム。
【請求項２】
ＩＣタグの情報を読取る手段と、撮影手段と、前記撮影手段で撮影した画像を伝送する手段を備え、医師が利用する端末（「医師端末」という）と、
患者の情報を格納した患者データベースと、ＩＣタグへ情報を書き込むＩＣタグ書込器を備えた医院システムと、
を備え、
医師は、患者を診察し、診察結果情報を、撮影した患者の顔写真情報とともに、前記医師端末から、前記医院システムへ送付し、
前記医院システムは、前記医師端末から送信された前記情報を受信すると、患者データベースにデータを格納し、
前記医院システムは、前記患者データベースに格納されている前記患者の情報を読み出して、前記患者の情報を、前記ＩＣタグ書込器から、患者の体の一部に貼付けられるＩＣタグに対して書き込み、
前記医院システムは、前記患者データベースに格納されている前記患者の手術日を監視し、該手術日になると、前記医師端末へ、患者名、及び手術の内容とともに手術日である旨の情報を送信し、
前記医師端末は、前記医院システムから前記手術日である旨の情報を受信すると、前記患者に貼付されているＩＣタグの内容を読み取り、前記医院システムへ送付し、
前記撮影手段で患者の顔写真を撮影して前記医師端末から前記医院システムへ送付し、
前記医院システムは、前記医師端末からの前記患者のＩＣタグの情報と、前記患者の顔写真情報を受信すると、前記患者名を検索キーとして、前記患者データベースを検索し前記患者データベースに格納されている患者の顔写真と、前記医師端末から送付された顔写真を照合し、及び、前記患者のＩＣタグより読み取られた手術情報と、前記患者データベースに格納されている手術情報とを照合し、
前記医院システムでの前記照合の結果が一致した場合は、手術可を出力し、一方、前記照合の結果が一致しなかった場合には、誤りがある旨を前記医師端末へ送付する、ことを特徴とする医療管理システム。
【請求項３】
患者を介添えする担当者の端末（「介添え端末」という）を備え、
患者の手術後、前記医師端末から、手術の結果情報及びカルテ情報が、前記医院システムへ送付され、
前記医院システムは、前記医師端末から送信された前記手術の結果情報及びカルテ情報を受け取り、前記患者データベースに格納し、
前記医院システムは、前記患者データベースに格納された患者の手術後の医療計画を監視し、医療計画にしたがって必要な処置を、介添え端末へ送信する、ことを特徴とする請求項１又は２記載の医療管理システム。
【請求項４】
前記介添え端末から患者の状態が、前記医師端末へ送付され、
前記介添え端末から送付される状態を監視し、前記医師端末から、前記医院システムへ、リハビリの指示を行い、
前記医院システムは、前記介添え端末へリハビリ指示を送付する、ことを特徴とする請求項３記載の医療管理システム。
【請求項５】
医師が利用する端末（「医師端末」という）と、
患者の情報を格納した患者データベースを有する医院システムと、
患者を介添えする担当者の端末（「介添え端末」という）と、
を備え、
患者の手術後、前記医師端末から、手術の結果情報及びカルテ情報が、前記医院システムへ送付され、
前記医院システムは、前記医師端末から送信された前記手術の結果情報及びカルテ情報を受け取り、前記患者データベースに格納し、
前記医院システムは、前記患者データベースに格納された患者の手術後の医療計画を監視し、医療計画にしたがって必要な処置を、介添え端末へ送信する、ことを特徴とする医療管理システム。
【請求項６】
前記介添え端末から患者の状態が、前記医師端末へ送付され、
前記介添え端末から送付される状態を監視し、前記医師端末から、前記医院システムへ、リハビリの指示を行い、
前記医院システムは、前記介添え端末へリハビリ指示を送付する、ことを特徴とする医療管理システム。
【請求項７】
医師端末は、患者に貼付されており、患者情報及び手術情報を格納したＩＣタグの内容を読み取り、前記ＩＣタグから読み取った情報を、患者データベースを有する医院システムへ送付するステップと、
前記医師端末で、前記患者の顔写真を撮影手段で撮影し、撮影した画像情報を前記医院システムへ送付するステップと、
前記医院システムが、前記医師端末から送信される、前記患者のＩＣタグからの読取情報と、前記患者の顔写真の画像情報とを受信し、前記患者名を検索キーとして前記患者データベースを検索し、前記患者データベースに格納されている患者の顔写真と、前記医師端末から送付された顔写真とを照合し、前記患者のＩＣタグより読み取られた手術情報と、前記患者データベースに格納されている手術情報とを照合するステップと、
前記医院システムでの、顔写真と手術情報との照合の結果がともに一致した場合は、手術可とし、一方、前記照合の結果が一致しなかった場合には、誤りがある旨を前記医師端末へ送付するステップと、
を含む、ことを特徴とする医療管理方法。
【請求項８】
医師は患者を診察し、診察結果情報を、撮影手段で撮影した患者の顔写真情報とともに、医師端末から医院システムへ送付するステップと、
前記医院システムが、医師端末から送信された該情報を受信すると、患者データベースにデータを格納するステップと、
前記医院システムは、患者に貼付けられるＩＣタグに対して、患者の情報を書き込むステップと、
前記医院システムは、前記患者の手術日を監視し、該手術日になると、前記医師端末へ、患者名、手術の内容とともに手術日である旨の情報を送信するステップと、
前記医師端末は、前記医院システムからの該情報を受信すると、前記患者に貼付されているＩＣタグの内容を読み取り、前記医院システムへ送付するステップと、
前記医師端末の撮影手段で患者の顔写真を撮影し撮影した顔写真の画像情報を前記医院システムへ送付するステップと、
前記医院システムは、前記医師端末からの前記患者のＩＣタグの情報と、前記患者の顔写真の画像情報を受信すると、前記患者名を検索キーとして、前記患者データベースを検索し前記患者データベースに格納されている患者の顔写真の画像情報と、前記医師端末から送付された顔写真の画像情報を照合し、及び、前記患者のＩＣタグより読み取られた手術情報と、前記患者データベースに格納されている手術情報とを照合するステップと、
前記医院システムでの前記照合の結果が一致した場合は、手術可を出力し、一方、前記照合の結果が一致しなかった場合には、誤りがある旨を前記医師端末へ送付するステップと、
を含む、ことを特徴とする医療管理方法。
【請求項９】
患者の手術後、前記医師端末から手術の結果情報及びカルテ情報を前記医院システムへ送付するステップと、
前記医院システムは、前記医師端末から送信された前記手術の結果情報及びカルテ情報を受け取り、患者データベースに格納するステップと、
前記医院システムは、患者の手術後の医療計画内容にしたがって必要な処置を介添え端末へ送信するステップと、
を含む、ことを特徴とする医療管理方法。
【請求項１０】
患者の状態を介添え端末から医師端末へ送付するステップと、
前記介添え端末から送付される状態を監視し、前記端末から前記医院システムへ、リハビリの指示を行うステップと、
前記医院システムは、前記介添え端末へリハビリ指示を送付するステップと、
を含む、ことを特徴とする請求項９記載の医療管理方法。
【請求項１１】
ＩＣタグの情報を読取る手段と、
撮影手段と、
前記撮影手段で撮影した画像を伝送する手段を備え、医師が利用する端末であって、
患者に貼付されており、患者情報及び手術情報を格納したＩＣタグの内容を読み取り、前記ＩＣタグから読み取った情報を医院システムへ送付する手段と、
撮影された前記患者の顔写真を、前記医院システムへ送信する手段と、
を有し、
前記医院システム側での顔写真の照合結果と手術情報の照合結果が、ともに一致したことを受け取った場合、手術可を出力し、照合結果が一致しなかった場合には、患者が誤りまたは手術に誤りがある可能性があり、再チェックする旨を出力する手段と、
を含む、ことを特徴とする端末。
【請求項１２】
患者の情報を格納した患者データベースと、
医師が、患者を診察し、診察結果情報を、撮影した患者の顔写真とともに端末から送信した情報を受け取り、前記患者データベースにデータを格納する手段と、
患者の体の一部に貼付けられるＩＣタグに対して、前記患者データベースに格納された患者の情報を書き込む手段と、
前記患者データベースに格納されている手術日を監視し、該手術日になると、前記医師の端末へ、患者名、手術の内容とともに手術日である旨の情報を送信する手段と、
前記医師端末で前記患者に貼付されているＩＣタグの内容を読み取った情報を、前記医師端末から受け取り、前記医師端末で患者の顔写真を撮影した顔写真を前記医師端末から受け取り、前記患者名を検索キーとして、前記患者データベースを検索し前記患者データベースに格納されている患者の顔写真と、前記医師端末から送付された顔写真を照合し、及び、前記患者のＩＣタグより読み取られた手術情報と、前記患者データベースに格納されている手術情報とを照合し、前記照合の結果が一致した場合は、手術可を出力し、一方、前記照合の結果が一致しなかった場合には、誤りがある旨を、前記医師端末へ送付する手段を備えている、ことを特徴とする医院システム。
【請求項１３】
患者の手術後、前記医師端末から送信された、手術の結果情報及びカルテ情報を受け取り、前記患者データベースに格納する手段と、
前記患者データベースに格納された患者の手術後の医療計画を監視し、医療計画にしたがって必要な処置を、介添え端末へ送信する、ことを特徴とする請求項１２記載の医院システム。
【請求項１４】
前記医師端末からのリハビリ情報を受けて前記患者データベースへリハビリ情報を格納する手段と、
前記介添え端末へリハビリ指示を送付する手段と、
を備えている、ことを特徴とする請求項１３記載の医院システム。
【請求項１５】
ＩＣタグの情報を読取る手段と、
撮影手段と、を備え、医師が利用する端末のコンピュータに、
（Ａ１）患者に貼付されており、患者情報及び手術情報を格納したＩＣタグの内容を読み取り、前記ＩＣタグから読み取った情報を医院システムへ送付する処理と、
（Ａ２）撮影された前記患者の顔写真の画像情報を前記医院システムへ送信する処理と、
（Ａ３）前記医院システム側での顔写真の照合結果と手術情報との照合結果が、ともに一致したことを受け取った場合、手術可を出力し、一方、前記照合結果が一致しなかった場合には、患者が誤りまたは手術に誤りがある可能性があり、再チェックする旨を出力する処理と、
を実行させるプログラム。
【請求項１６】
患者の情報を格納した患者データベースを備えた医院システムを構成するコンピュータに、
（Ｂ１）医師が、患者を診察し、診察結果情報を、撮影した患者の顔写真とともに端末から送信した情報を受け取り、前記患者データベースにデータを格納する処理と、
（Ｂ２）前記患者データベースに格納された患者の情報をＩＣタグ書込器に渡して、前記情報を、患者の体の一部に貼付けられるＩＣタグに書き込むように制御する処理と、
（Ｂ３）前記患者データベースに格納されている患者の手術日を監視し、該手術日になると、前記医師の端末へ、患者名、手術の内容とともに手術日である旨の情報を送信する処理と、
（Ｂ４）前記医師端末で前記患者に貼付されているＩＣタグの内容を読み取った情報を、前記医師端末から受け取り、前記医師端末で患者の顔写真を撮影した顔写真を前記医師端末から受け取り、前記患者名を検索キーとして、前記患者データベースを検索し前記患者データベースに格納されている患者の顔写真と、前記医師端末から送付された顔写真を照合し、及び、前記患者のＩＣタグより読み取られた手術情報と、前記患者データベースに格納されている手術情報とを照合し、前記照合結果が一致した場合には、手術可を出力し、一方、前記照合結果が一致しなかった場合には、誤りがある旨を前記医師端末へ送付する処理と、
を実行させるプログラム。
【請求項１７】
請求項１６に記載のプログラムにおいて、
（Ｃ１）患者の手術後、前記医師端末から送信された、手術の結果情報及びカルテ情報を受け取り、前記患者データベースに格納する処理と、
（Ｃ２）前記患者データベースに格納された患者の手術後の医療計画を監視し、医療計画にしたがって必要な処置を、介添え端末へ送信する処理と、
を前記コンピュータに実行させるプログラム。
【請求項１８】
請求項１７に記載のプログラムにおいて、
（Ｄ１）前記医師端末からのリハビリ情報を受けて前記患者データベースへリハビリ情報を格納する処理と、
（Ｄ２）前記介添え端末へリハビリ指示を送付する処理と、
を前記コンピュータに実行させるプログラム。
【発明の詳細な説明】
【技術分野】
【０００１】
本発明は、医療機関の管理システムに関し、より詳細には、誤手術の防止や、患者取り違え防止、及び、手術後の介添えの内の少なくとも１つに適用して好適とされるシステム及び方法並びにコンピュータプログラムに関する。
【背景技術】
【０００２】
医療機関での、患者の取り違えや、手術ミス等の医療従業者による医療事故が後を絶たず、このため、従来より、各種医療ミス防止対策が検討されている。
【０００３】
医療現場での事故の中で小さなミスをもリアルタイムに分別・処理し、リスクを回避する病院医療情報システムが従来より知られている（後記特許文献１）。この特許文献１には、バーコード又は非接触ＲＦ−ＩＤで患者情報が記載され、顔写真を印刷した患者が装着するリストバンドを読み込み、サーバーに保存されている情報を取り込み、データと顔写真をディスプレイに表示するとともに、音声で読み上げ、患者本人に点呼確認するとともに、周囲にいる人にも確認して患者の認識と確認を行うようにしたシステムが開示されている。
【０００４】
また、医療に関する指示を医療機関内の各部所に正確に伝達し医療ミスの発生を防止する医療管理システムとして、後記特許文献２には、患者は患者コードが付された患者タグを携帯し、各医療スタッフは、コードの読み取り、照合を行う情報コード読取器を携帯し、使用物品には、使用物品コードが付されたラベルが貼付され、医療計画に基づく医療指示を情報コードとともに記した医療指示表が各部所で発行され、コードの照合により、医療の実施に使用する医療器具、医薬品等の使用物品が該当する患者に係るものかを容易に確認できるようにした構成が開示されている。
【０００５】
非接触ＲＦ−ＩＤを用いて患者の識別を行う患者照合システムとして、後記特許文献３には患者に意識がない場合でも、患者情報を非接触で手術直前に簡単に取得して、患者の識別を行うシステムが開示されている。
【０００６】
【特許文献１】特開２００２−１３２９６２号公報
【特許文献２】特開２００２−２６９２２９号公報
【特許文献３】特開２００３−６７４８６号公報
【発明の開示】
【発明が解決しようとする課題】
【０００７】
上記した刊行物等に記載されるシステムは、誤手術や患者取り違えの防止、及び手術後の介添えを支援するためのシステムとして、さらなる改善の余地がある。
【０００８】
したがって、本発明の目的は、誤手術や患者の取り違え等の医療ミス発生の抑止に対して、特段に有効とされるシステム及び方法並びにコンピュータプログラムを提供することにある。
【０００９】
したがって、本発明の目的は、上記目的を達成しながら、さらに、手術後の介添え支援を行う全く新規なシステム及び方法並びにコンピュータプログラムを提供することにある。
【課題を解決するための手段】
【００１０】
本願で開示される発明は、前記目的を達成するための、代表的な構成として、概略以下の通りとされる。
【００１１】
本発明の一つのアスペクト（側面）に係るシステムは、ＩＣタグの情報を読取る手段と、撮影手段と、前記撮影手段で撮影した画像を伝送する手段を備え、医師が利用する端末（「医師端末」という）と、患者の情報を格納した患者データベースを有する医院システムと、を備え、前記医師端末により、患者に貼付されており、患者情報及び手術情報を格納したＩＣタグの内容を読み取り、前記ＩＣタグから読み取った情報が、前記医院システムへ送付され、前記医師端末で撮影された前記患者の顔写真が、前記医院システムへ送信され、前記医院システムは、前記医師端末から送信される、前記患者のＩＣタグからの読取情報と、前記患者の顔写真情報とを受信する手段と、前記患者名を検索キーとして前記患者データベースを検索し、前記患者データベースに格納されている患者の顔写真と、前記医師端末から送付された顔写真とを照合する手段と、前記患者のＩＣタグより読み取られた手術情報と、前記患者データベースに格納されている手術情報とを照合する手段と、前記医院システムは、顔写真と手術情報の前記照合の結果がともに一致した場合は、手術可とし、一方、前記照合結果が一致しなかった場合には、誤りがある旨を前記医師端末へ送付する手段と、を含む。
【００１２】
本発明の他のアスペクト（側面）に係るシステムは、医師が利用する端末（「医師端末」という）と、患者の情報を格納した患者データベースを有する医院システムと、患者を介添えする担当者の端末（「介添え端末」という）と、を備え、患者の手術後、前記医師端末から、手術の結果情報及びカルテ情報が前記医院システムへ送付され、前記医院システムは、前記医師端末から送信された前記手術の結果情報及びカルテ情報を受け取り、前記患者データベースに格納し、前記医院システムは、前記患者データベースに格納された患者の手術後の医療計画を監視し、医療計画にしたがって必要な処置を、介添え端末へ送信する。
【００１３】
本発明のさらに他のアスペクト（側面）に係るシステムは、前記介添え端末から患者の状態が、前記医師端末へ送付され、前記介添え端末から送付される状態を監視し、前記医師端末から、前記医院システムへ、リハビリの指示を行い、前記医院システムは、前記介添え端末へリハビリ指示を送付する。
【００１４】
本発明の一つのアスペクト（側面）に係る方法は、医師は患者を診察し、診察結果情報を、カメラで撮影した患者の顔写真とともに、医師端末から医院システムへ送付するステップと、
前記医院システムが、医師端末から送信された該情報を受信すると、患者データベースにデータを格納するステップと、
前記医院システムは、患者の体の一部に貼付けられるＩＣタグに対して、患者の情報を書き込むステップと、
前記医院システムは、手術日を監視し、該手術日になると、前記医師端末へ、患者名、手術の内容とともに手術日である旨の情報を送信するステップと、
前記医師端末は、前記医院システムからの該情報を受信すると、前記患者に貼付されているＩＣタグの内容を読み取り、前記医院システムへ送付するステップと、
前記医師端末で患者の顔写真を撮影して前記医院システムへ送付するステップと、
前記医院システムは、前記医師端末からの前記患者のＩＣタグの情報と、前記患者の顔写真情報を受信すると、前記患者名を検索キーとして、前記患者データベースを検索し前記患者データベースに格納されている患者の顔写真と、前記医師端末から送付された顔写真を照合し、及び、前記患者のＩＣタグより読み取られた手術情報と、前記患者データベースに格納されている手術情報とを照合するステップと、
前記医院システムでの前記照合の結果が一致した場合は、手術ＯＫを出力し、一方、前記照合結果が一致しなかった場合には、誤りがある旨を前記医師端末へ送付するステップと、
を含む。
【００１５】
本発明の他のアスペクト（側面）に係る方法は、患者の手術後、前記医師端末から手術の結果情報及びカルテ情報を前記医院システムへ送付するステップと、
前記医院システムは、前記医師端末から送信された前記手術の結果情報及びカルテ情報を受け取り、患者データベースに格納するステップと、
前記医院システムは、患者の手術後の医療計画内容にしたがって必要な処置を介添え端末へ送信するステップと、
を含む。
【００１６】
本発明のさらに他のアスペクト（側面）に係る方法は、患者の状態を介添え端末から医師端末へ送付するステップと、
前記介添え端末から送付される状態を監視し、前記端末から前記医院システムへ、リハビリの指示を行うステップと、
前記医院システムは、前記介添え端末へリハビリ指示を送付するステップと、
を含む。
【００１７】
本発明の他のアスペクト（側面）に係るプログラムは、ＩＣタグの情報を読取る手段と、撮影手段と、を備え、医師が利用する端末のコンピュータに、
（Ａ１）患者に貼付されており、患者情報及び手術情報を格納したＩＣタグの内容を読み取り、前記ＩＣタグから読み取った情報を医院システムへ送付する処理と、
（Ａ２）撮影された前記患者の顔写真の画像データを前記医院システムへ送信する処理と、
（Ａ３）前記医院システム側での顔写真の照合結果と手術情報の照合結果が、ともに一致したことを受け取った場合、手術可を出力し、照合結果が一致しなかった場合には、患者が誤りまたは手術に誤りがある可能性があり、再チェックする旨を出力する処理と、
を実行させるプログラムよりなる。
【００１８】
本発明の他のアスペクト（側面）に係るプログラムは、患者の情報を格納した患者データベースを備えた医院システムを構成するコンピュータに、
（Ｂ１）医師が、患者を診察し、診察結果情報を、撮影した患者の顔写真とともに端末から送信した情報を受け取り、前記患者データベースにデータを格納する処理と、
（Ｂ２）前記患者データベースに格納された患者の情報をＩＣタグ書込器に渡して、前記情報を、患者の体の一部に貼付けられるＩＣタグに書き込むように制御する処理と、
（Ｂ３）前記患者データベースに格納されている手術日を監視し、該手術日になると、前記医師の端末へ、患者名、手術の内容とともに手術日である旨の情報を送信する処理と、
（Ｂ４）前記医師端末で前記患者に貼付されているＩＣタグの内容を読み取った情報を、前記医師端末から受け取り、前記医師端末で患者の顔写真を撮影した顔写真を前記医師端末から受け取り、前記患者名を検索キーとして、前記患者データベースを検索し前記患者データベースに格納されている患者の顔写真と、前記医師端末から送付された顔写真を照合し、及び、前記患者のＩＣタグより読み取られた手術情報と、前記患者データベースに格納されている手術情報とを照合し、前記照合の結果が一致した場合は、手術ＯＫを出力し、一方、前記照合結果が一致しなかった場合には、誤りがある旨を前記医師端末へ送付する処理と、
を実行させるプログラムよりなる。
【００１９】
本発明の他のアスペクト（側面）に係るプログラムは、
（Ｃ１）患者の手術後、前記医師端末から送信された、手術の結果情報及びカルテ情報を受け取り、前記患者データベースに格納する処理と、
（Ｃ２）前記患者データベースに格納された患者の手術後の医療計画を監視し、医療計画にしたがって必要な処置を、介添え端末へ送信する処理とを実行させるプログラムよりなる。
【００２０】
本発明の他のアスペクト（側面）に係るプログラムは、
（Ｄ１）前記医師端末からのリハビリ情報を受けて前記患者データベースへリハビリ情報を格納する処理と、
（Ｄ２）前記介添え端末へリハビリ指示を送付する処理と、を実行させるプログラムよりなる。
【発明の効果】
【００２１】
本発明によれば、患者本人と手術内容をコンピュータにより、自動的に照合する構成としたことにより、人為的なミスの発生が抑止される。
【００２２】
また、本発明によれば、万が一、患者や手術箇所を間違えるような場合にも、二重のチェックを行うことで、事前にミスを撲滅出来る。
【００２３】
本発明によれば、ＩＣタグを貼付することにより、患者の情報を読み違えることが回避される。
【００２４】
本発明によれば、照合がコンピュータによる自動化処理により、高速且つ正確である。
【００２５】
本発明によれば、２４時間いつでも照合が可能である。
【発明を実施するための最良の形態】
【００２６】
上記した本発明についてさらに詳細に説述すべく、添付図面を参照してこれを説明する。
【００２７】
本発明は、ＩＣタグの情報を読取る手段と、カメラと、前記カメラで撮影した画像を伝送する手段を備え、医師が利用する医師端末（１０）と、患者の情報を格納した患者データベースと、ＩＣタグへ情報を書き込むＩＣタグ書込器を備えた医院システム（２０）と、を備えている。医師は、患者（３０）を診察し、診察結果情報を、撮影した患者の顔写真とともに、医師端末（１０）から、前記医院システム（２０）へ送付する。
【００２８】
医院システム（２０）は、医師端末（１０）から送信された該情報を受信すると、該情報を患者データベースに格納し、ＩＣタグ書込器から、患者の体の一部に貼付けられるＩＣタグに対して、前記患者データベースの患者の情報を書き込む。そして、医院システム（２０）は、患者データベースに格納されている手術日を監視し、該手術日になると、医師端末（１０）へ、患者名、手術の内容とともに手術日である旨の情報を送信する。
【００２９】
医師端末（１０）は、医院システム（２０）からの該情報を受信すると、患者（３０）に貼付されているＩＣタグ（３０１）の内容を読み取り、医院システム（２０）へ送付し、医師端末のカメラで患者の顔写真を撮影し、患者の顔写真情報（画像データ）を前記医院システム（２０）へ送付する。
【００３０】
医院システム（２０）は、医師端末（１０）からの患者（３０）のＩＣタグ（３０１）の情報と、前記患者の顔写真情報を受信すると、患者名を検索キーとして、患者データベースを検索し、患者データベースに格納されている患者の顔写真と、医師端末（１０）から送付された顔写真を照合し、及び、患者のＩＣタグより読み取られた手術情報と、患者データベースに格納されている手術情報とを照合する（二重照合）。医院システム（２０）での前記照合の結果が一致した場合は、手術ＯＫを出力し、一方、前記照合結果が一致しなかった場合には、誤りがある旨を医師端末（１０）へ送付する。
【００３１】
さらに、患者の手術後、医師端末（１０）から手術の結果情報及びカルテ情報を前記医院システム（２０）へ送付し、医院システム（２０）では、医師端末（１０）から送信された前記手術の結果情報及びカルテ情報を受け取り、患者データベースに格納する。
【００３２】
医院システム（２０）は、患者の手術後の医療計画内容にしたがって必要な処置を介添え端末（４０）へ送信する。
【００３３】
患者の状態を介添え端末（４０）から、医師端末（１０）へ送付し、介添え端末（４０）から送付される状態を監視し、医師端末（１０）から医院システム（２０）へ、リハビリの指示を行し、医院システム（２０）は、介添え端末（４０）へリハビリ指示を送付する。
【００３４】
本発明の実施の形態において、医院システム（２０）の処理機能は、医院システム（２０）を構成するコンピュータ上で実行させるプログラムにより実現するようにしてもよい。医師端末（１０）の処理機能は、医師端末（１０）を構成するコンピュータ上で実行させるプログラムにより実現するようにしてもよい。
【００３５】
本発明の一実施の形態に係るシステムが提供する代表的な機能について以下に例示しておく。
【００３６】
（Ａ）誤手術や患者の取違えの発生の防止機能。
（Ｂ）手術後のリハビリ支援機能。
（Ｃ）医師の診察結果やカルテ情報をＩＣタグに格納する機能。
（Ｄ）ＩＣタグを患者に貼付し手術時等におけるＩＣタグの情報の読出による患者の自動確認機能。
（Ｅ）ＩＣタグが、手術結果情報及び手術後のリハビリスケジュール情報を格納保持し、該情報内容に基づきリハビリ実施を案内する機能。
【００３７】
以下、具体的な実施例に即して詳述する。
【実施例】
【００３８】
図１は、本発明の一実施例のシステム構成を示す図である。図１を参照すると、本実施例に係るシステムは、医師端末１０と、医院システム２０と、患者３０、及び介添え端末４０と、を備え、ネットワーク１００を介して接続されている。なお、図１では、説明の簡単のため、医師端末を１台のみ示しており、患者も一人としているが、本発明はかかる構成に限定されるものでなく、医師端末は複数あってもよい。また、本発明は、複数の患者にも適用できることは勿論である。さらに、ネットワーク１００は、ＩＰ網等のＬＡＮ（ローカルエリアネットワーク、イントラネット）、又は、インターネットであってもよい。
【００３９】
医師端末１０は、患者を診察する医師が保有する端末（ネットワークと通信する通信端末）であり、ＩＣタグ読み取り機能を備えている。端末１０は、カメラ付きのパソコン、や、カメラ付き携帯端末よりなり、
・医師が患者３０を診察した内容や、手術のカルテ等をネットワーク１００を介して、医院システム２０へ送付する機能と、
・図示されないカメラで撮影した患者３０の顔写真を、医院システム２０へ送付する機能と、
・医院システム２０からの患者の情報を受信する機能と、
・患者３０に貼付されたＩＣタグ３０１の内容を読み取る機能と
を備えている。
【００４０】
医院システム２０は、病院に設置されたシステムである。図２は、医院システム２０の構成を模式的に示す図である。図２を参照すると、医院システム２０は、処理装置２０１と、患者データベース（ＤＢ）２０２と、ＩＣタグ書込器２０３を備えている。ＩＣタグ書込器２０３は、ＩＣタグに例えば無線で情報を伝送し、ＩＣタグ内のメモリに情報が書き込まれる。
【００４１】
処理装置２０１は、サーバなどの情報処理装置である。処理装置２０１は、医師端末１０からの患者の診察内容や手術のカルテ情報及び患者の写真等を受信して図６、図７に示すような形式で、患者データベース２０２に格納する。
【００４２】
図６、及び図７は、手術前と手術後の患者に患者データベース２０２の内容を説明するための図である。
処理装置２０１は、図６、図７の内容をＩＣタグ書込器２０３により患者３０に貼付するＩＣタグ３０１へ書き込み指示する。
【００４３】
処理装置２０１は、医師端末１０から送付された患者３０に貼付されたＩＣタグ３０１の内容、及び患者の顔写真と患者ＤＢ２０２の内容を照合し、一致した場合には、「手術ＯＫ」、一致しなかった場合には、「患者を取り違えている可能性あり。患者を再チェックせよ」という情報を医師端末１０へ送付する制御を行う。
【００４４】
患者データベース２０２は、医師端末１０から送付された患者の診察内容や、手術後のカルテ情報などが格納されたデータベースであり、データの格納例を、図６、図７に示す。
【００４５】
ＩＣタグ書込器２０３は、患者データベース２０２に格納されている情報を、処理装置２０１の指示により、患者３０に貼付けられるＩＣタグ３０１へ書き込む。
【００４６】
図１の患者３０は、医師の診察を受診したり、手術を受ける。図３に示すように、公知のＩＣタグ３０１が、例えば、患者３０の爪など体の一部に貼付されている。ＩＣタグ３０１は、公知のものが用いられ、内部に、いずれも図示されないメモリ、制御部、無線部、アンテナ、バッテリ等を備えている。
【００４７】
図１の介添え端末４０は、患者３０を看護する介添担当者が保持する携帯電話や携帯端末などの情報処理装置である。介添え端末４０は、医院システム２０からの情報を受信して患者３０へ薬を服用させたり、リハビリのための訓練を介添えするために使用される。
【００４８】
図４は、本発明の一実施例の処理手順を示す流れ図である。図４を参照して、本発明の一実施例の処理手順について説明する。
【００４９】
まず、医師は患者Ａを診察し、診察結果情報を、カメラで撮影した患者Ａの顔写真（画像データ）とともに、医師端末１０から医院システム２０へ送付する（ステップＡ１）。
【００５０】
医院システム２０は、該情報を受信すると、図６に示す形式（レコードフォーマット）で、患者データベース２０２にデータを格納する（ステップＡ２）。
【００５１】
次に、医院システム２０は、ＩＣタグ３０１に、図６の患者Ａの情報を書き込む（ステップＡ３）。
【００５２】
医療担当者（医師または看護婦）が、ＩＣタグ３０１を患者Ａの体の一部（例えば爪など）に貼付する（ステップＡ４）。
【００５３】
医院システム２０は、手術日ｘｘ月ｙｙ日（図６の項目[３]参照）を監視し（ステップＡ５）、当日が来ると、医師端末１０へ、「本日は患者Ａさんの胃潰瘍の手術日です」という情報を送信する（ステップＡ６）。
【００５４】
医師端末１０は、該情報を受信すると、患者Ａに貼付されているＩＣタグ３０１の内容を読み取って、医院システム２０へ送付する（ステップＡ７）。
【００５５】
医師端末１０で患者Ａの顔写真を撮影し、画像データを、医院システム２０へ送付する（ステップＡ８）。
【００５６】
医院システム２０は、該情報を受信すると、「Ａさん」という患者名をキーワードにして、患者データベース２０２を検索する。そして、医院システム２０は、
患者データベース２０２に格納されているＡさんの写真の画像データ（図６の項目[１]参照）と、医師端末１０から送付された顔写真（画像データ）を照合し、及び、ステップＡ７で医師端末１０が患者のＩＣタグ３０１より読み取った手術情報と、格納されている手術内容（図６の項目[２]参照）と手術日（図６の項目[３]参照）を照合する（ステップＡ９）。
【００５７】
（Ａ）照合結果が一致した場合には、「胃潰瘍の手術ＯＫ」を出力する（ステップＡ１０）。
【００５８】
患者情報照合の結果、一致の場合には、手術が行われる（ステップＡ１２）。
【００５９】
（Ｂ）照合結果が一致しなかった場合には、「患者を取り違えている可能性あり、または、手術箇所が間違っている可能性あり患者を再チェックせよ」（ステップＡ１１）というメッセージを、医師端末１０へ送付する。
【００６０】
患者情報照合の結果、不一致の場合、患者と手術箇所を再チェックする（ステップＡ１３）。
【００６１】
図５は、本実施例における、手術後の処理手順を示す流れ図である。図５を参照して、本実施例の処理手順について説明する。
【００６２】
医師は、手術後、医師端末１０から、手術の結果やカルテ情報を、医院システム２０へ送付する（ステップＡ１４）。
【００６３】
医院システム２０は、手術後、医師端末１０から手術の結果やカルテ情報を、図７の形式（レコード形式）で、患者データベース２０２に格納する（ステップＡ１５）。
【００６４】
医院システム２０は、図７の、項目[４]及び[５]の内容を監視し、手術後、Ｍ日間は、毎日食後の予め決められた時間になると、自動的に介添え端末４０に、「患者Ａさんの体温を測定して、薬Ｂを飲ませて下さい」というメッセージを自動送付する（ステップＡ１６）。
【００６５】
介添え人は、患者Ａの体温を測定し、測定結果を、介添え端末４０から、医師端末１０へ送付する（ステップＡ１７）。
【００６６】
介添人は、患者Ａへ薬Ｂを飲ませる（ステップＡ１８）。
【００６７】
Ｍ日経過後、医師は、介添え端末４０から送付される体温を監視し、正常な体温に戻ったことを確認すると、医院システム２０へ、歩行訓練への移行を指示する（ステップＡ１９）。
【００６８】
医院システム２０は、介添え端末４０へ、図７の項目[５]の内容で、歩行訓練指示を送付する（ステップＡ２０）。
【００６９】
介添人は、患者の歩行訓練を介添えして（ステップＡ２１）、処理を終了する（ステップＡ２２）。
【００７０】
なお、上記実施例では、ネットワークとして、例えばＩＰ網が用いられが、上記機能を遂行できるものであれば、他のネットワークであってもよいことは勿論である。医療機器等への影響を考慮して移動体無線通信の携帯通信端末の使用が禁止されている場所では、手術患者の顔写真を撮影して医院システムに送付するステップＡ８において、カメラで撮影した情報を有線で例えばパソコン等に伝送し、パソコン（医師端末）から医院システムに伝送するようにしてもよい。なお、端末１０、医院システム２０、介添え端末４０の処理は、好ましくは、それぞれを構成するＣＰＵ（データ処理装置）で実行されるプログラムによってその機能を実現するようにしてもよい。
【００７１】
以上本発明を上記実施例に即して説明したが、本発明は上記実施例の構成にのみ限定されるものでなく、本発明の範囲内で当業者であればなし得るであろう各種修正、変形を含むことは勿論である。
【図面の簡単な説明】
【００７２】
【図１】本発明の一実施例のシステム構成を示す図である。
【図２】本発明の一実施例の医院システムの構成を示す図である。
【図３】本発明の一実施例における患者とＩＣタグを示す図である。
【図４】本発明の一実施例の処理手順を示す図である。
【図５】本発明の一実施例の処理手順を示す図である。
【図６】本発明の一実施例の患者データベースの内容の一例を示す図である。
【図７】本発明の一実施例の患者データベースの内容の一例を示す図である。
【符号の説明】
【００７３】
１０  医師端末
２０  医院システム
３０  患者
４０  介添え端末
１００  ネットワーク
２０１  処理装置
２０２  患者データベース
２０３  ＩＣタグ書込器
３０１  ＩＣタグ
【図１】
2005278709.tif 000003
【図２】
2005278709.tif 000004
【図３】
2005278709.tif 000005
【図４】
2005278709.tif 000006
【図５】
2005278709.tif 000007
【図６】
2005278709.tif 000008
【図７】
2005278709.tif 000009